(57)【特許請求の範囲】
【請求項１】
操作盤の操作パネルに設けられた注意惹起手段と、前記操作盤の扉の裏面に設けられた注意銘板とを具備し、前記注意惹起手段は操作ボタンを有する前記操作パネルに設けられ、
前記扉が開放されることで前記注意惹起手段が露出し、該注意惹起手段により注意が前記注意銘板に誘導されることを特徴とする誤操作防止装置。
【請求項２】
前記注意惹起手段は、前記操作パネルから立設する支持体と、該支持体の上端に設けられた注意惹起銘板から構成され、少なくとも前記支持体は弾性を有する合成樹脂製であり、前記注意惹起銘板が振動可能となっている請求項１の誤操作防止装置。
【請求項３】
前記支持体は、前記扉が閉じられた状態で撓み、該扉が開かれることで復元し、前記注意惹起銘板が振動する請求項２の誤操作防止装置。
【請求項４】
前記注意惹起銘板には、注意惹起語句が記され、該注意惹起語句により前記注意銘板へ注意が向く様に設定された請求項２又は請求項３の誤操作防止装置。
【請求項５】
前記注意惹起銘板に反射剤が塗布され、或は注意惹起語句が蛍光塗料で記された請求項２又は請求項３のいずれかの誤操作防止装置。
【発明の詳細な説明】
【技術分野】
【０００１】
本発明は、操作盤に設けられ、操作盤での誤操作を防止する為の誤操作防止装置に関するものである。
【背景技術】
【０００２】
人と装置との間の意思伝達手段としてマン−マシンインタフェースである操作盤が設けられ、人が装置に所要の動作をさせる場合、操作盤の入力手段、例えば機能ボタン、テンキー等を介して動作を実行させる。
【０００３】
例えば、操作盤が設けられる装置が立体駐車場であった場合、２階、３階等複数階の駐車フロアを有する立体駐車装置で自動車を入庫させる場合は、自動車を入出庫スペースに進入させた後、操作盤により駐車階と駐車スペース番号を入力し、立体駐車装置に自動車の入庫動作を行わせる。或は、出庫する場合は、駐車している駐車スペース番号を前記操作盤から入力し、立体駐車装置に駐車スペース番号から入出庫スペース迄、自動車を出庫させる。
【０００４】
又、立体駐車装置では、空間の有効利用を図る為、車高が高い自動車（以下ハイルーフ車）を格納する高車高用駐車フロアと、通常の車高の自動車とを格納する通常駐車フロアとに分けられており、ハイルーフ車は高車高用駐車フロアに駐車する様になっており、通常駐車フロアの駐車スペースにハイルーフ車を駐車しようとすると自動車の屋根が立体駐車装置の構造部材に干渉して、自動車を傷付ける場合がある。
【０００５】
この為、立体駐車装置の目立つ所要の場所、例えば、入口、入出庫スペースの柱等に車高の制限、入庫注意等の注意を促す銘板、看板等を設置しているが、入庫作業に注意を集中している状態では、注意事項を見落してしまう場合がある。
【先行技術文献】
【特許文献】
【０００６】
【特許文献１】特開２００２−３０８２１号公報
【特許文献２】特開２００３−２２１９３９号公報
【特許文献３】特開２００９−１９１５５８号公報
【特許文献４】特開２００９−１９１５５９号公報
【発明の概要】
【発明が解決しようとする課題】
【０００７】
本発明は斯かる実情に鑑み、操作盤での作業時に操作者が、必ず注意事項を注視する様にし、操作盤での誤操作を防止する誤操作防止装置を提供するものである。
【課題を解決するための手段】
【０００８】
本発明は、注意惹起手段と注意銘板とを具備し、前記注意惹起手段は操作ボタンを有する操作パネルに設けられ、前記注意銘板は前記操作ボタンを操作できる状態で、前記操作パネル以外の場所に設けられ、前記操作ボタンを操作できる状態で前記注意惹起手段は、注意を前記注意銘板に誘導する誤操作防止装置に係るものである。
【０００９】
又本発明は、前記注意惹起手段が、操作盤の操作パネルに設けられ、前記注意銘板は操作盤の扉の裏面に設けられた誤操作防止装置に係るものである。
【００１０】
又本発明は、前記注意惹起手段が、前記操作パネルから立設する支持体と、該支持体の上端に設けられた注意惹起銘板から構成され、少なくとも前記支持体は弾性を有する合成樹脂製であり、前記注意惹起銘板が振動可能となっている誤操作防止装置に係るものである。
【００１１】
又本発明は、前記支持体が、前記扉が閉じられた状態で撓み、該扉が開かれることで復元し、前記注意惹起銘板が振動する誤操作防止装置に係るものである。
【００１２】
又本発明は、前記注意惹起銘板には、注意惹起語句が記され、該注意惹起語句により前記注意銘板へ注意が向く様に設定された誤操作防止装置に係るものである。
【００１３】
又本発明は、前記注意惹起銘板に反射剤が塗布され、或は前記注意惹起語句が蛍光塗料で記された誤操作防止装置に係るものである。
【発明の効果】
【００１４】
本発明によれば、注意惹起手段と注意銘板とを具備し、前記注意惹起手段は操作ボタンを有する操作パネルに設けられ、前記注意銘板は前記操作ボタンを操作できる状態で、前記操作パネル以外の場所に設けられ、前記操作ボタンを操作できる状態で前記注意惹起手段は、注意を前記注意銘板に誘導するので、操作する以前に前記注意銘板が視認又注視され、誤操作が防止される。
【００１５】
又本発明によれば、前記注意惹起手段は、操作盤の操作パネルに設けられ、前記注意銘板は操作盤の扉の裏面に設けられたので、操作状態で前記注意惹起手段、前記注意銘板が見える状態となり、又前記注意惹起手段の誘導により確実に注意銘板が視認又注視される。
【００１６】
又本発明によれば、前記注意惹起手段は、前記操作パネルから立設する支持体と、該支持体の上端に設けられた注意惹起銘板から構成され、少なくとも前記支持体は弾性を有する合成樹脂製であり、前記注意惹起銘板が振動可能となっているので、より注意惹起銘板への注意が惹起され、より確実に操作者の注意が前記注意銘板へ誘導される。
【００１７】
又本発明によれば、前記支持体は、前記扉が閉じられた状態で撓み、該扉が開かれることで復元し、前記注意惹起銘板が振動するので、風等の外的要因がなくとも、確実に前記注意惹起銘板が振動し、操作者の注意を確実に惹起する。
【００１８】
又本発明によれば、前記注意惹起銘板には、注意惹起語句が記され、該注意惹起語句により前記注意銘板へ注意が向く様に設定されたので、操作者の注意を確実に惹起する。
【００１９】
又本発明によれば、前記注意惹起銘板に反射剤が塗布され、或は前記注意惹起語句が蛍光塗料で記されたので、前記注意惹起銘板への注意をより確実に惹起することができるという優れた効果を発揮する。
【図面の簡単な説明】
【００２０】
【図１】本発明の実施例に係る操作盤を示す斜視図である。
【図２】該実施例に用いられる注意惹起手段を示す斜視図である。
【図３】該注意惹起手段の注意惹起銘板の一例を示す図である。
【図４】前記実施例に用いられる注意銘板の一例を示す図である。
【図５】前記実施例の応用例を示す側面図である。
【図６】（Ａ）（Ｂ）は他の実施例の説明図である。
【図７】注意惹起銘板の他の実施例を示す説明図である。
【発明を実施するための形態】
【００２１】
以下、図面を参照しつつ本発明の実施例を説明する。
【００２２】
図１は、本発明が実施される操作盤の一例として、立体駐車場の操作盤を示している。
【００２３】
操作盤１は、制御部を収納する筐体２と該筐体２に開閉可能に設けられた扉３を有している。図示では、該扉３が開いた状態となっており、前記筐体２には、該筐体２の表面から所要量後退した位置に、操作パネル４が設けられ、該操作パネル４には機能キー５、テンキー６等の操作ボタン、表示部７、鍵８等が設けられている。
【００２４】
前記表示部７には、前記機能キー５、前記テンキー６から入力された事項が表示される様になっている。
【００２５】
前記扉３の裏面には注意銘板１１が貼設され、前記扉３を開いた状態で、前記注意銘板１１が操作者の目に留る様になっている。
【００２６】
又、前記操作パネル４の所要位置、特に操作者が入力作業を行う場合に、必ず目に留る位置に注意惹起手段１２が設けられる。該注意惹起手段１２が設けられる位置としては、例えば、前記テンキー６の上部等とし、該テンキー６を操作する場合に、必ず視野に入る位置が好ましい。
【００２７】
前記注意惹起手段１２について、図２を参照して説明する。
【００２８】
該注意惹起手段１２は、矢印形状とした注意惹起銘板１３と、該注意惹起銘板１３を支持する支持体１４を有している。
【００２９】
前記注意惹起銘板１３は、所要の弾性を有する薄板の合成樹脂製、例えば、ポリエチレンテレフタラート製とする。前記注意惹起銘板１３の上面には、注意が銘板の方に向く様な注意惹起語句１５を記する。記する方法としては、前記注意惹起銘板１３の上面に直接注意惹起語句１５を印刷する、或は注意惹起語句１５を印刷したラベルを前記注意惹起銘板１３の上面に貼付ける等である。記する注意惹起語句１５としては、例えば図３に示される様に「操作前に見て下さい」であり、又「操作前に車の高さを確認」等である。
【００３０】
前記支持体１４は、所要の弾性を有する薄板の合成樹脂製、例えば、所要の弾性を有する合成樹脂製、例えば、ポリエチレンテレフタラート製とし、帯板状の部材の上端部１４ａを前記操作パネル４と平行に折曲げ、下端部１４ｂを前記操作パネル４と平行に且つ前記上端部１４ａとは逆の方向に折曲げ、全体としてはクランク形状となっている。
【００３１】
前記注意惹起銘板１３は、前記上端部１４ａに接着剤、両面テープ或は溶着等所要の手段で固着されている。
【００３２】
前記下端部１４ｂは、接着剤或は両面テープ等の所要の手段１９で前記操作パネル４に固着されている。前記注意惹起手段１２が前記操作パネル４に取付けられた状態では、前記注意惹起銘板１３の矢印の先が前記注意銘板１１に向く様に設定される。
【００３３】
該注意銘板１１には、操作上の注意が記されており、例えば図４に示される様に、「赤枠内の駐車スペース（Ｂ１）は背の高い車は入庫できません…」等の注意書１６、駐車スペースの場所及び駐車スペースの番号を表示する図形１７であり、特に入庫できない駐車スペースについては、赤色で表示する（図示ではハッチで示している）等、操作者の注意を引くような表示となっている。
【００３４】
前記注意惹起手段１２は、前記注意惹起銘板１３が錘、前記支持体１４が前記注意惹起銘板１３を支持するバネ材である、振動系を構成しており、又、前記支持体１４は、薄板の合成樹脂製であり、剛性は小さく、前記注意惹起手段１２に小さな外力が作用することで、前記注意惹起銘板１３は容易に振動する様になっている。
【００３５】
以下、作用について説明する。
【００３６】
通常、前記扉３は閉じられており、入出庫、例えば入庫する場合は、操作者が前記扉３を開く、該扉３が開かれると正面に前記注意惹起手段１２が現れる。前記注意惹起銘板１３の注意惹起語句１５によって、更に前記注意惹起銘板１３の形状によって、操作者の視線が前記注意銘板１１に導かれる。
【００３７】
上記した様に、前記注意惹起銘板１３、前記支持体１４、特に支持体１４が所要の弾性を有する合成樹脂製であるので、前記扉３が開かれ、前記注意惹起手段１２が露出すると風等の影響で、前記注意惹起銘板１３が前後に（図２中Ａ矢印方向）、又捻転（図２中Ｂ矢印方向）に不規則に揺れる（振動する）。前記注意惹起銘板１３が不規則に揺れることで、該注意惹起銘板１３が操作者の注意を引く効果が更に増大する。
【００３８】
前記扉３の開き状態、上記注意銘板１１の貼付け位置によっては、操作者の死角に入り、或は視野から外れる場合があるが、斯かる状態でも、前記注意惹起手段１２による誘導によって、操作者は確実に前記注意銘板１１を視認又注視する。
【００３９】
而して、前記機能キー５、前記テンキー６の誤操作が防止される。
【００４０】
図５は、上記実施例の応用例を示しており、該応用例では、前記扉３が閉じられた状態で、前記注意惹起銘板１３が前記扉３に押込まれ、前記支持体１４が弾性変形し、撓んだ状態となる様に、前記支持体１４の高さを設定する。
【００４１】
応用例では、操作の為に、前記扉３を開くと、前記支持体１４が復元し（図５の２点鎖線で示す状態）、復元によって即ち、負の外力が作用することで前記注意惹起銘板１３が振動する（揺れる）。従って、風等の外的な要因が作用しなくとも、前記注意惹起銘板１３が揺れ、確実に操作者の注意を引くことができる。
【００４２】
上記実施例は、本発明の一例を示すものであり、種々変更が可能である。
【００４３】
例えば、図６（Ａ）、図６（Ｂ）に示す様に、先端に矢印を有する一枚の帯状部材１８をＣ，Ｄの２箇所で折曲げ、Ｚ状に成形してもよい。この場合、上辺部と下辺部が平行となり、上辺部が前記注意惹起銘板１３として機能し、下辺部が下端部１４ｂとして機能し、該下端部１４ｂが両面テープ、接着剤等により操作パネル４に固着される。
【００４４】
或は、図７に示す様に、前記注意惹起銘板１３の先端部の矢印の形状の代りに、人の指を模した形状としてもよい。
【００４５】
又、前記注意銘板１１、前記注意惹起銘板１３の表面に反射塗料を塗布してもよく、或は注意惹起語句１５、注意書１６の文字を蛍光塗料等として、前記注意銘板１１、前記注意惹起銘板１３が目立つ様にしてもよい。
【符号の説明】
【００４６】
１              操作盤
２              筐体
３              扉
４              操作パネル
５              機能キー
６              テンキー
７              表示部
８              鍵
１１            注意銘板
１２            注意惹起手段
１３            注意惹起銘板
１４            支持体
１５            注意惹起語句
１６            注意書
１７            図形
１８            帯状部材
１９            接着剤
【図１】
0005806541.tif 000002
【図２】
0005806541.tif 000003
【図３】
0005806541.tif 000004
【図４】
0005806541.tif 000005
【図５】
0005806541.tif 000006
【図６】
0005806541.tif 000007
【図７】
0005806541.tif 000008